(57)【要約】      （修正有）【課題】左右のバランスが取れ、見栄え良く壁に掛けることが可能な家具を提供する。【解決手段】壁に取り付けられ、家具本体に対しフックとして機能するレール状の壁側器具２０を備えた壁掛けシステムにおいて、壁側器具２０の中央付近に形成され、壁側器具２０のバランス調整の中心となる留め具が差し込まれる第１の穴２３Ｃと、壁側器具２０の両端付近にそれぞれ形成され、バランス調整が済むと留め具がそれぞれ差し込まれる第２の穴２３Ｌ，２３Ｒとを備える。【選択図】図２
2015213609.tif 000002
【特許請求の範囲】
【請求項１】
壁に取り付けられ、家具本体に対しフックとして機能するレール状の壁側器具を備えた壁掛けシステムにおいて、
上記壁側器具の中央付近に形成され、上記壁側器具のバランス調整の中心となる留め具が差し込まれる第１の穴と、
上記壁側器具の両端付近にそれぞれ形成され、上記バランス調整が済むと留め具がそれぞれ差し込まれる第２の穴とを備えることを特徴とする壁掛けシステム。
【請求項２】
上記バランスを検知する水平検知手段を上記壁側器具に備えることを特徴とする請求項１記載の壁掛けシステム。
【請求項３】
上記壁掛けシステムの上記壁側器具と連結し上記フックとして機能するとともに、上記壁側器具と連結されると、上記家具本体の背面に形成された凹部の内側に上記壁側器具とともに入り込むように上記凹部の内側に取り付けられた本体側器具をさらに備えることを特徴とする請求項１又は請求項２記載の壁掛けシステム。
【請求項４】
家具本体に対しフックとして機能するレール状の壁側器具を壁に取り付ける壁側器具取付け方法において、
上記壁側器具の中央付近に形成された第１の穴に留め具を差し込む第１のステップと、
上記第１の穴に差し込んだ上記留め具を中心にして上記壁側器具のバランス調整を行う第２のステップと、
上記バランス調整が済むと、上記レールの両端付近にそれぞれ形成された第２の穴に留め具をそれぞれ差し込む第３のステップとを備えることを特徴とする壁側器具取付け方法。
【請求項５】
上記第２のステップでは、上記壁側器具に備えた水平検知手段によって上記バランスを検知することを特徴とする請求項４記載の壁側器具取付け方法。
【請求項６】
上記壁掛けシステムの上記壁側器具と連結し上記フックとして機能するとともに、この壁側器具と連結されると、上記家具本体の背面側に形成された凹部の内側に上記壁側器具とともに入り込むように上記凹部の内側に取り付けられた本体側器具と上記壁側器具とを連結する第４のステップをさらに備えることを特徴とする請求項４又は請求項５記載の壁側器具取付け方法。
【請求項７】
請求項１から請求項３のうちのいずれか１項記載の壁掛けシステムにより上記壁に掛けられることを特徴とする家具。
【発明の詳細な説明】
【技術分野】
【０００１】
この発明は、壁に密着させて取り付けられ、家具に対しフックとして機能するレール状の壁側器具を備えた壁掛けシステムに係るものである。また、この発明は、壁側器具を壁に取り付けるための壁側器具取付け方法と、壁掛けシステムにより壁に掛けられる家具とに関するものである。
【背景技術】
【０００２】
図１４は従来の壁掛けシステムの構成を示す斜視図である（特許文献１）。
図１４において、壁側器具１２０は基部１２１とフック部１２２とを有している。また、基部１２１は、穴１２３Ｌ，１２３Ｒを左右両端に備えており、中央には気泡式の水準器１２４が設けられている。
【０００３】
壁掛けシステムの利用者はまず、壁の適当な位置に基部１２１の背面を密着させ、穴１２３Ｌ，１２３Ｒのうちの一方に、例えば穴１２３Ｌに釘やネジなどの留め具を差し込んで壁に取り付ける。次に利用者は、壁側器具１２０が水平になるように、水準器１２４を確認しながら穴１２３Ｌを中心にして壁側器具１２０の右側を回転させ、左右のバランス調整を行う。
【０００４】
壁側器具１２０が水平になってバランス調整が済むと、利用者は残りの穴１２３Ｒにも留め具を差し込み、壁側器具１２０を壁に完全に取り付ける。このとき基部１２１から上方外向きにフック部１２２が位置しており、これに棚１１０や不図示の額縁などの家具本体を掛ける。水準器１２４により壁側器具１２０を水平に取り付けられるため、バランスの取れた壁掛けが可能である。
【先行技術文献】
【特許文献】
【０００５】
【特許文献１】米国特許出願公開第２００５／１０９９１０号明細書
【発明の概要】
【発明が解決しようとする課題】
【０００６】
従来の壁掛けシステムは以上のように構成されているので、壁側器具の基部の両端に形成された穴の一方を中心にして基部を回転させるため、バランス調整が行いにくいという課題があった。
【０００７】
また、従来の壁掛けシステムは、バランス調整後は壁に完全に取り付けるまで壁側器具から手を離すことができず、作業性が悪いという課題があった。
【０００８】
例えば、取付け作業に不慣れな利用者の場合、バランス調整後に例えば留め具を手に取ろうとして壁側器具からうっかり手を離してしまうと、せっかく調整したバランスが崩れてしまい、二度手間、三度手間となってしまう。
【０００９】
この発明は上記の課題を解決するためになされたもので、バランス調整が行いやすく、壁に完全に取り付ける前に壁側器具から手を離しても調整後のバランスが崩れにくく、作業性を改善することが可能な壁掛けシステム及び壁側器具取付け方法を提供することを目的とする。
【００１０】
また、この発明は、左右のバランスが取れ、見栄え良く壁に掛けることが可能な家具を提供することを目的とする。
【課題を解決するための手段】
【００１１】
この発明に係る壁掛けシステムは、壁に取り付けられ、家具本体に対しフックとして機能するレール状の壁側器具を備えた壁掛けシステムにおいて、壁側器具の中央付近に形成され、壁側器具のバランス調整の中心となる留め具が差し込まれる第１の穴と、壁側器具の両端付近にそれぞれ形成され、バランス調整が済むと留め具がそれぞれ差し込まれる第２の穴とを備えるようにしたものである。
【００１２】
この発明に係る壁掛けシステムは、バランスを検知する水平検知手段を壁側器具に備えるようにしたものである。
【００１３】
この発明に係る壁掛けシステムは、壁掛けシステムの壁側器具と連結しフックとして機能するとともに、壁側器具と連結されると、家具本体の背面に形成された凹部の内側に壁側器具とともに入り込むように凹部の内側に取り付けられた本体側器具をさらに備えるようにしたものである。
【００１４】
この発明に係る壁側器具取付け方法は、家具本体に対しフックとして機能するレール状の壁側器具を壁に取り付ける壁側器具取付け方法において、壁側器具の中央付近に形成された第１の穴に留め具を差し込む第１のステップと、第１の穴に差し込んだ留め具を中心にして壁側器具のバランス調整を行う第２のステップと、バランス調整が済むと、レールの両端付近にそれぞれ形成された第２の穴に留め具をそれぞれ差し込む第３のステップとを備えるようにしたものである。
【００１５】
この発明に係る壁側器具取付け方法は、第２のステップでは、壁側器具に備えた水平検知手段によってバランスを検知するようにしたものである。
【００１６】
この発明に係る壁側器具取付け方法は、壁掛けシステムの壁側器具と連結しフックとして機能するとともに、この壁側器具と連結されると、家具本体の背面側に形成された凹部の内側に壁側器具とともに入り込むように凹部の内側に取り付けられた本体側器具と壁側器具とを連結する第４のステップをさらに備えるようにしたものである。
【００１７】
この発明に係る家具は、請求項１から請求項３のうちのいずれか１項記載の壁掛けシステムにより壁に掛けられるようにしたものである。
【発明の効果】
【００１８】
この発明によれば、壁に取り付けられ、家具本体に対しフックとして機能するレール状の壁側器具を備えた壁掛けシステムにおいて、壁側器具の中央付近に形成され、壁側器具のバランス調整の中心となる留め具が差し込まれる第１の穴と、壁側器具の両端付近にそれぞれ形成され、バランス調整が済むと留め具がそれぞれ差し込まれる第２の穴とを備えるようにしたので、バランス調整が行いやすく、壁に完全に取り付ける前に壁側器具から手を離しても調整後のバランスが崩れにくく、作業性を改善することができる。また、バランス調整作業に関する説明を統一化・簡略化することができる。
【００１９】
この発明によれば、バランスを検知する水平検知手段を壁側器具に備えるようにしたので、壁側器具のバランス調整を正確に行うことができる。
【００２０】
この発明によれば、壁掛けシステムの壁側器具と連結しフックとして機能するとともに、壁側器具と連結されると、家具本体の背面に形成された凹部の内側に壁側器具とともに入り込むように凹部の内側に取り付けられた本体側器具をさらに備えるようにしたので、背面に凹部を備えた家具本体に壁掛けシステムを容易に適用することができ、システムの適用範囲を広げることができるとともに、家具本体を壁に掛けると壁側器具と本体側器具とが見えなくなり、左右のバランスが取れた見栄えの良い壁掛けを行うことができる。
【００２１】
この発明によれば、家具本体に対しフックとして機能するレール状の壁側器具を壁に取り付ける壁側器具取付け方法において、壁側器具の中央付近に形成された第１の穴に留め具を差し込む第１のステップと、第１の穴に差し込んだ留め具を中心にして壁側器具のバランス調整を行う第２のステップと、バランス調整が済むと、レールの両端付近にそれぞれ形成された第２の穴に留め具をそれぞれ差し込む第３のステップとを備えるようにしたので、バランス調整が行いやすく、壁に完全に取り付ける前に壁側器具から手を離しても調整後のバランスが崩れにくく、作業性を改善することができる。また、バランス調整作業に関する説明を統一化・簡略化することができる。
【００２２】
この発明によれば、第２のステップでは、壁側器具に備えた水平検知手段によってバランスを検知するようにしたので、壁側器具のバランス調整を正確に行うことができる。
【００２３】
この発明によれば、壁掛けシステムの壁側器具と連結しフックとして機能するとともに、この壁側器具と連結されると、家具本体の背面側に形成された凹部の内側に壁側器具とともに入り込むように凹部の内側に取り付けられた本体側器具と壁側器具とを連結する第４のステップをさらに備えるようにしたので、背面に凹部を備えた家具本体に壁掛けシステムを容易に適用することができ、システムの適用範囲を広げることができるとともに、家具本体を壁に掛けると壁側器具と本体側器具とが見えなくなり、左右のバランスが取れた見栄えの良い壁掛けを行うことができる。
【００２４】
この発明によれば、請求項１から請求項３のうちのいずれか１項記載の壁掛けシステムにより壁に掛けられるようにしたので、左右のバランスが取れ、見栄え良く壁に家具を掛けることができる。
【図面の簡単な説明】
【００２５】
【図１】この発明の実施の形態１による壁掛けシステムの全体構成を示す図である。
【図２】壁側器具の構成を示す図である。
【図３】本体側器具の構成を示す図である。
【図４】本体側器具が取り付けられた家具本体を背面から見た斜視図である。
【図５】この発明の実施の形態１による壁側器具取付け方法の手順を説明するためのフローチャートである。
【図６】家具本体を壁に取り付けるまでの様子を順次示す一連の斜視図である（その１）。
【図７】家具本体を壁に取り付けるまでの様子を順次示す一連の斜視図である（その２）。
【図８】家具本体を壁に取り付けるまでの様子を順次示す一連の斜視図である（その３）。
【図９】家具本体を壁に取り付けるまでの様子を順次示す一連の斜視図である（その４）。
【図１０】家具本体を壁に取り付けるまでの様子を順次示す一連の斜視図である（その５）。
【図１１】家具本体を壁に取り付けるまでの様子を順次示す一連の斜視図である（その６）。
【図１２】家具本体を壁に取り付けるまでの様子を順次示す一連の斜視図である（その７）。
【図１３】家具本体を壁に取り付けたときの壁側器具及び本体側器具の構造を示す側面透視図である。
【図１４】従来の壁掛けシステムの構成を示す斜視図である。
【発明を実施するための形態】
【００２６】
以下、この発明の実施の形態について図面を参照しつつ詳細に説明する。なお、各図面において、同一の又は相当する構成要素については同一の又は相当する符号を付してある。
【００２７】
実施の形態１．
＜構成＞
図１はこの発明の実施の形態１による壁掛けシステムの全体構成を示す図である。
図１において、２０は壁に密着させて取り付けられる壁側器具、２３Ｐは第１の固定ピン（留め具）、２３Ｑは第２の固定ピン（留め具）、２３Ｒは固定ネジ（留め具）、２４Ｂはボール（水平検知手段）、２４Ｃはクッションシール（水平検知手段）、３０は家具本体に取り付けられる本体側器具、３３Ｐは固定ネジである。この実施の形態１の壁掛けシステムは主として壁側器具２０及び本体側器具３０から構成されている。
【００２８】
図２は壁側器具２０の構成を示す図であり、図２（ａ）は正面図、図２（ｂ）は側面図である。壁側器具２０は一様な材質からなるほぼ左右対称のレール状部材である。
図２において、２１は基部、２２はフック部、２３Ｃは基部２１の中央付近（重心付近）に形成した穴（第１の穴）、２３Ｌ，２３Ｒは基部２１の左右両端にそれぞれ形成された穴（第２の穴）、２４Ａは左端から右端までＶ溝２４Ｄが形成された水準器（水平検知手段）である。後述するように、Ｖ溝２４Ｄ上には図１のボール２４Ｂが載せられる。
【００２９】
図３は本体側器具３０の構成を示す図であり、図３（ａ）は正面図、図３（ｂ）は側面図、図３（ｃ）は上面図である。
図３において、３１は基部、３２はフック部、３３Ｌ，３３Ｒは基部３１の左右両端にそれぞれ形成された穴である。壁側器具２０と連結可能なこの本体側器具３０は、次の図４に示すように、例えば工場などで家具本体に予め取り付けられる。
【００３０】
図４は本体側器具３０が取り付けられた家具本体１０を背面から見た斜視図である。
図４において、１０凹は家具本体１０の背面側に形成された凹部である。本体側器具３０は、凹部１０凹の内側に入り込むように、凹部１０凹を取り囲む周縁部１０Ｆの上部両端にそれぞれ取り付けられている。
【００３１】
＜壁掛け＞
それでは、家具本体１０の壁掛け作業について説明する。
図５はこの発明の実施の形態１による壁側器具取付け方法の手順を説明するためのフローチャートである。また、図６〜１２は家具本体１０を壁に掛けるまでの様子を順次示す一連の斜視図である。ここでは壁の下地が石膏ボードの場合について説明する。
【００３２】
まず初めに利用者は、図５のステップＳＴ１で基部２１の左右両端に２枚のクッションシール２４Ｃをそれぞれ貼り付ける（図６）。クッションシール２４Ｃは適当な厚みを持っており、Ｖ溝２４Ｄ上のボール２４Ｂが水準器２４Ａの端から落下するのを防ぐために張り付けられる。
【００３３】
次に利用者は、ステップＳＴ２で壁の適当な位置に基部２１の背面を密着させ、中央付近の穴２３Ｃに第１の固定ピン２３Ｐを差し込んで壁側器具２０を壁に取り付ける（図７）。そしてステップＳＴ３でＶ溝２４Ｄ上にボール２４Ｂを載せ、続くステップＳＴ４，５において、ボール２４ＢがＶ溝２４Ｄ上で静止するように（クッションシール２４Ｃに接して静止する場合を除く。）、穴２３Ｃに差し込んだ第１の固定ピン２３Ｐの中心軸ｌ周りに壁側器具２０をシーソーのように傾け、左右のバランス（レールの傾き）を調整する（図８）。
【００３４】
このように、この実施の形態１では、まず中央付近の穴２３Ｃに対してのみ第１の固定ピン２３Ｐを差し込み、この第１の固定ピン２３Ｐ周りに、つまり左右対称な壁側器具２０の中央付近を中心にして壁側器具２０のバランス調整を行っているので、左右両端の穴の一方を中心にしてバランス調整を行う従来の壁掛けシステムと異なり、バランス調整を容易に行うことができる。
【００３５】
また、この実施の形態１では、水準器２４Ａを、ボール２４Ｂ，クッションシール２４Ｃ及びＶ溝２４Ｄによってシンプルに構成しているので、特許文献１に開示された気泡式の水準器や変形ローラー型の水準器と比較して、部品点数や各部品の形状の点でローコストにまとめられている。
【００３６】
さて、図８の状態で壁側器具２０が水平になりボール２４ＢがＶ溝２４Ｄ上で静止すると、ステップＳＴ５でＹＥＳとなってステップＳＴ４，ＳＴ５のループから抜け出し、利用者はバランス調整が済んだ（壁側器具２０が水平になった）ことを認識し、ステップＳＴ６でバランス調整を終了する。
【００３７】
このとき壁側器具から手を離すとバランスが崩れてしまうのが従来の壁掛けシステムであったが、この実施の形態１では第１の固定ピン２３Ｐ周りに壁側器具２０のバランス調整を行っているので、バランス調整後の状態が安定しており、基部２１の背面と壁との間の若干の摩擦も手伝って、壁側器具２０から手を離してもバランスが崩れることがほとんどない。すなわち、取付け作業に不慣れな利用者であってもバランス調整をやり直す必要がほとんどなく、作業性を改善することができる。
【００３８】
また、従来の壁掛けシステムでは、例えば利用者が右利きであればまず左側の穴に留め具を差し込んで壁側器具の右側を回転させ、逆に例えば左利きであればまず右側の穴に留め具を差し込んで壁側器具の左側を回転させることになる、といったようなバランス調整作業について２通りの説明が必要になる。これに対し、この実施の形態１では第１の固定ピン２３Ｐ周りに壁側器具２０のバランス調整を行っているので、右利き／左利きのいずれであっても同様に作業することができ、バランス調整作業に関する説明を統一化・簡略化することができる。
【００３９】
図５の説明に戻る。ステップＳＴ６でバランス調整が済むと、利用者は、ステップＳＴ７で穴２３Ｌ，２３Ｒに第２の固定ピン２３Ｑをそれぞれ差し込み（図９）、さらにステップＳＴ８で穴２３Ｌ，２３Ｒに差し込んだ第２の固定ピン２３Ｑに第１の固定ピン２３Ｐをそれぞれ差し込んで（図１０）、壁側器具２０を壁に完全に取り付ける。
【００４０】
続いて利用者は、ステップＳＴ９でクッションシール２４Ｃを基部２１から剥がすとともに、壁側器具２０に掛けられた家具本体１０が揺れても異音が発生しないようにＶ溝２４Ｄ上からボール２４Ｂを取り除く（図１１）。このように、ボール２４Ｂ，クッションシール２４Ｃ及びＶ溝２４Ｄからなる水準器２４Ａは、壁側器具２０の取付けが済めば容易に取り除くことが可能である。
【００４１】
最後に、図５のステップＳＴ１０において、利用者が本体側器具３０を壁側器具２０に連結すると、家具本体１０の壁掛け作業が完了する（図１２）。
【００４２】
図１３は家具本体１０を壁に掛けたときの壁側器具２０及び本体側器具３０の構造を示す側面透視図である。
図１３に示すように、本体側器具３０の基部３１は、図４で示した凹部１０凹の周縁部１０Ｆの上部に密着しており、穴３３Ｌ，３３Ｒに固定ネジ３３Ｐをそれぞれ差し込んで取り付けられている。フック部３２は下向きになっており、壁側器具２０の基部２１とフック部２２との間に嵌まっている。
【００４３】
このように、フックとして機能している壁側器具２０及び本体側器具３０は、ともに凹部１０凹の内側に入り込むように設計されているので、周縁部１０Ｆに隠れて外側からは見えなくなる。ゆえに、この実施の形態１によれば、左右のバランスが取れ見栄え良く家具本体１０を壁に掛けることができる。
【００４４】
＜変形例＞
なお、以上の説明では、壁の下地が石膏ボードの場合について説明してきたが、この実施の形態１はこれに限定されるものではなく、壁の下地が合板や天然木の場合は、第１，２の固定ピン２３Ｐ，２３Ｑの代わりに図１の固定ネジ２３Ｒを用いて取り付け、壁の下地が上記以外のコンクリートなどの場合は、市販の適したネジで取り付ける。
【００４５】
また、図１に示した壁掛けシステムの各構成要素は、金属や樹脂その他の適切な材料を使って製造することができ、材料は時・場所・場合に応じて自由に選択すれば良い。
【００４６】
さらに、本体側器具３０はこの実施の形態１に必須の構成要件ではなく、例えば、壁側器具２０とともにフックとして機能する形状を家具本体１０の背面に直接形成することも可能である。しかしながら、本体側器具３０を備えるようにすることで、背面に凹部１０凹を備えたタイプの家具本体１０にこの実施の形態１を容易に適用できるようになり、システムの適用範囲を広げることができる。
【００４７】
さらに、以上の説明では、２つの本体側器具３０を周縁部１０Ｆの上部両端にそれぞれ取り付けるようにしたが、本体側器具３０の数量及び取付位置はこれに限定されるものではなく、例えば、本体側器具３０を３つ以上取付けても良いし、壁側器具２０とともにフックとして機能するものであれば、左右両側の周縁部１０Ｆにそれぞれ取り付けても良い。
【００４８】
さらに、水準器２４ＡはＶ溝２４Ｄを用いたタイプに限定されず、例えばＵ溝や凹溝などによる水準器であっても良いし、固定式又は着脱自在な気泡式の水準器を用いても良い。いずれの水準器であっても、壁側器具２０のバランス調整を正確に行うことができる。さらに言えば、水準器２４Ａはこの実施の形態１に必須の構成要件ではなく、水準器２４Ａを備えず、目視によって第１の固定ピン２３Ｐ周りにバランス調整を行うタイプの壁掛けシステムも実施可能である。
【符号の説明】
【００４９】
１０  家具本体
１０凹  凹部
１０Ｆ  周縁部
２０  壁側器具
２１  基部
２２  フック部
２３Ｃ  穴（第１の穴）
２３Ｌ，２３Ｒ  穴（第２の穴）
２３Ｐ  第１の固定ピン（留め具）
２３Ｑ  第２の固定ピン（留め具）
２３Ｒ  固定ネジ（留め具）
２４Ａ  水準器（水平検知手段）
２４Ｂ  ボール（水平検知手段）
２４Ｃ  クッションシール（水平検知手段）
２４Ｄ  Ｖ溝
３０  本体側器具
３１  基部
３２  フック部
３３Ｌ，３３Ｒ  穴
３３Ｐ  固定ネジ
【図１】
2015213609.tif 000003
【図２】
2015213609.tif 000004
【図３】
2015213609.tif 000005
【図４】
2015213609.tif 000006
【図５】
2015213609.tif 000007
【図６】
2015213609.tif 000008
【図７】
2015213609.tif 000009
【図８】
2015213609.tif 000010
【図９】
2015213609.tif 000011
【図１０】
2015213609.tif 000012
【図１１】
2015213609.tif 000013
【図１２】
2015213609.tif 000014
【図１３】
2015213609.tif 000015
【図１４】
2015213609.tif 000016
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
壁に取り付けられ、家具本体に対しフックとして機能するレール状の壁側器具を備えた壁掛けシステムにおいて、
上記壁側器具は、その中央付近に形成され、上記壁側器具のバランス調整の中心となる留め具が差し込まれる第１の穴と、その両端付近にそれぞれ形成され、上記バランス調整が済むと留め具がそれぞれ差し込まれる第２の穴と、上記壁側器具の両端の間に形成された溝と、この溝の上に載せられるボールとを有し、上記バランスを検知する水平検知手段とを備え、
上記壁側器具と連結し上記フックとして機能するとともに、上記壁側器具と連結されると、上記家具本体の背面に形成された凹部の内側に上記壁側器具とともに入り込むように上記凹部の左右の内側にそれぞれ取り付けられた２つの本体側器具をさらに備えることを特徴とする壁掛けシステム。
【請求項２】
上記溝は、その断面形状がＶ字状に形成されていることを特徴とする請求項１記載の壁掛けシステム。
【請求項３】
家具本体に対しフックとして機能するレール状の壁側器具を壁に取り付ける壁側器具取付け方法において、
上記壁側器具の中央付近に形成された第１の穴に留め具を差し込む第１のステップと、
上記壁側器具の両端の間に形成された溝と、この溝の上に載せられるボールとを有する水平検知手段によって、上記第１の穴に差し込んだ上記留め具を中心にして上記壁側器具のバランス調整を行う第２のステップと、
上記バランス調整が済むと、上記レールの両端付近にそれぞれ形成された第２の穴に留め具をそれぞれ差し込む第３のステップと、
上記壁側器具と連結し上記フックとして機能するとともに、上記壁側器具と連結されると、上記家具本体の背面側に形成された凹部の内側に上記壁側器具とともに入り込むように上記凹部の左右の内側にそれぞれ取り付けられた２つの本体側器具と上記壁側器具とを連結する第４のステップとを備えることを特徴とする壁側器具取付け方法。
【請求項４】
上記第２のステップでは、溝の断面形状がＶ字状に形成されていることを特徴とする請求項３記載の壁側器具取付け方法。
【請求項５】
請求項１又は請求項２記載の壁掛けシステムにより上記壁に掛けられることを特徴とする家具。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
壁に取り付けられ、家具本体に対しフックとして機能するレール状の壁側器具を備えた壁掛けシステムにおいて、
上記壁側器具は、その中央付近に形成され、上記壁側器具のバランス調整の中心となる留め具が差し込まれる第１の穴と、その両端付近にそれぞれ形成され、上記バランス調整が済むと留め具がそれぞれ差し込まれる第２の穴と、上記壁側器具の両端の間に、前方へ突設し上部を開放して形成された溝と、この溝の上に載せられ、上記バランス調整が済むと上記溝から取り除かれるボールとを有し、上記バランスを検知する水平検知手段とを備え、
上記壁側器具に上方から引っ掛かって着脱自在に連結する上記フックとして機能するとともに、上記壁側器具と連結されると、上記家具本体の背面に形成された凹部の内側に上記壁側器具とともに入り込むように上記凹部の左右の内側にそれぞれ取り付けられた２つの本体側器具をさらに備えることを特徴とする壁掛けシステム。
【請求項２】
家具本体に対しフックとして機能するレール状の壁側器具を壁に取り付ける壁側器具取付け方法において、
上記壁側器具の中央付近に形成された第１の穴に留め具を差し込む第１のステップと、
上記壁側器具の両端の間に、前方へ突設し上部を開放して形成された溝と、この溝の上に載せられるボールとを有する水平検知手段によって、上記第１の穴に差し込んだ上記留め具を中心にして上記壁側器具のバランス調整を行う第２のステップと、
上記バランス調整が済むと、上記レールの両端付近にそれぞれ形成された第２の穴に留め具をそれぞれ差し込むとともに、上記溝から上記ボールを取り除く第３のステップと、
上記壁側器具に上方から引っ掛かって着脱自在に連結する上記フックとして機能するとともに、上記壁側器具と連結されると、上記家具本体の背面に形成された凹部の内側に上記壁側器具とともに入り込むように上記凹部の左右の内側にそれぞれ取り付けられた２つの本体側器具と上記壁側器具とを連結する第４のステップとを備えることを特徴とする壁側器具取付け方法。
【請求項３】
請求項１記載の壁掛けシステムにより上記壁に掛けられることを特徴とする家具。